(57)【要約】【課題】オイルフィラーキャップの下面にクリーム状の油水混合物が発生することを、確実に防止する。【解決手段】オイル注入口５は、ヘッドカバー本体３の前端部でかつ、吸気弁用カム軸の軸心の延長線と排気弁用カム軸の軸心の延長線との間に位置しており、吸気弁用カム軸に設けたＶＶＴ１１が回転すると、オイルミストがオイル注入口の下方に飛散する。ヘッドカバー本体３又はバッフルプレート４に、オイルミストをオイル注入口５に向けて誘導するガイド板１３が形成されている。ガイド板１３は、ＶＶＴ１１の軸心から遠ざかる方向に向けて高くなるように傾斜していると共に、オイルフィラーキャップ６の軸心１４の回りにねじったような形態になっている。このため、オイルミスト（及びＶＶＴ１１の回転に伴う空気流）は、旋回流となって、オイルフィラーキャップ６の下面にまんべんなく付着するように誘導される。その結果、油水混合物の生成を確実に防止できる。【選択図】図２
2019100257.tif 000002
【特許請求の範囲】
【請求項１】
回転体が配置されたシリンダヘッドの上面に固定されるヘッドカバーのうち、前記回転体によって振り飛ばされたオイルミストが飛散する部位の上方に、オイルフィラーキャップで上から塞がれるオイル注入口が開口しており、
前記ヘッドカバー又はシリンダヘッドに、前記回転体によって振り飛ばされたオイルミストが前記オイルフィラーキャップの下面部に向かうように方向変換させるガイド手段を設けている構成であって、
前記ガイド手段を、前記オイルミストが斜め上向きでかつ前記オイルフィラーキャップの軸心回り方向に方向変換されるように、前記回転体の回転軸心から遠ざかるに従って高くなるように傾斜しつつ、前記オイルフィラーキャップの軸心回りに捩じられたような形態に形成している、
内燃機関。
【発明の詳細な説明】
【技術分野】
【０００１】
本願発明は、ヘッドカバーを備えた内燃機関に関する。より詳しくは、オイルフィラーキャップで塞がれるオイル注入口をヘッドカバーに設けている内燃機関に関するものである。
【背景技術】
【０００２】
内燃機関において、ヘッドカバーにオイル注入口を設けることは広く行われている。この場合、オイル注入口は、ヘッドカバーのうちタイミングチェーンが配置されている側の端部（前端部）に設けることが多い。
【０００３】
ところが、ヘッドカバーとシリンダヘッドとの間の空間のうち、前部には、タイミングチェーン等の周回によって発生した微細なオイルミストが浮遊しているため、ヘッドカバーの前端部にオイル注入口を設けると、オイルミストがクリーム状又は泡状に白濁した状態でオイルフィラーキャップの下面等に付着する現象があり、オイル交換やメンテナンスに際してオイルフィラーキャップを外すと、白濁したオイルミストが人目に触れて、人に違和感や不安感を抱かせる場合があった。
【０００４】
つまり、ヘッドカバーの内部（動弁室）には水分も存在しているため、微細なオイルミストがオイルフィラーキャップの下面に継続的に付着すると、オイルミストと凝縮した水分との混合物が成長していって、白濁してクリーム状又は泡状の外観を呈するのであった。
【０００５】
この点について本願出願人は、特許文献１において、ヘッドカバーに設けたガイド手段によってオイルミストをオイルフィラーキャップの下面に誘導して、オイルミストを油滴化して滴下させることによって、白濁化現象を防止することを開示した。
【先行技術文献】
【特許文献】
【０００６】
【特許文献１】特開２０１７−１８０１０６号公報
【発明の概要】
【発明が解決しようとする課題】
【０００７】
特許文献１のものは簡単な構造でありながら効果があり、実際に車両用エンジンに実施されている。しかし、本願発明者が検討したところ、改善の余地があることが判明した。すなわち、特許文献１では、ガイド手段の例として、回転体の軸心から遠ざかる方向に高くなるように傾斜した平坦なガイド板を採用しているが、オイルミストの勢いなどの様々な影響により、オイルフィラーキャップの下面に、オイルミストの流れの影になる部分ができて、ここに白濁化現象が生じる可能性があることが判った。
【０００８】
本願発明はこのような現状に鑑み成されたものであり、特許文献１の考え方を発展させて、オイルフィラーキャップの下面の白濁化防止を確実化せんとするものである。
【課題を解決するための手段】
【０００９】
本願発明は、
「回転体が配置されたシリンダヘッドの上面に固定されるヘッドカバーのうち、前記回転体によって振り飛ばされたオイルミストが飛散する部位の上方に、オイルフィラーキャップで上から塞がれるオイル注入口が開口しており、
前記ヘッドカバー又はシリンダヘッドに、前記回転体によって振り飛ばされたオイルミストが前記オイルフィラーキャップの下面部に向かうように方向変換させるガイド手段を設けている」
という基本構成である。
【００１０】
そして、上記基本構成において、
「前記ガイド手段を、前記オイルミストが斜め上向きでかつ前記オイルフィラーキャップの軸心回り方向に方向変換されるように、前記回転体の回転軸心から遠ざかるに従って高くなるように傾斜しつつ、前記オイルフィラーキャップの軸心回りに捩じられたような形態に形成している」
という構成になっている。
【００１１】
この場合、ガイド手段のガイド面は、全体として１つの平坦な面（二次元の面）になっていてもよいし、全体が曲面（三次元の立体面）になっていてもよい。或いは、多数の小さな平坦面が連続して、曲面状の立体面を形成していてもよい。オイルミストのガイド機能の面からは、曲面又は曲面状の立体面に形成するのが好ましいと云える。
【００１２】
ヘッドカバー本体の内部にバッフルプレートを設けた構造も多いが、この場合は、ガイド手段は、ヘッドカバー本体に設けてもよいし、バッフルプレートに設けてもよい。従って、ヘッドカバーとは、バッフルプレートのような付属物も含む概念である。また、ガイド手段は、ヘッドカバー本体やバッフルプレートに一体成形してもよいし、別体に製造したものをバッフルプレート等に取り付けてもよい。ガイド手段をシリンダヘッドに設ける場合も同様である。
【発明の効果】
【００１３】
本願発明の基本的な作用は特許文献１と同様であり、オイルミストがオイルフィラーキャップの下面に誘導されることにより、オイルミストが油滴化して速やかに滴下して、オイルミストがオイルフィラーキャップの下面に付着したままになることを防止できる。従って、オイルフィラーキャップの下面にクリーム状の油水混合物が生成することを防止できる。
【００１４】
そして、回転体の軸心方向から見て、オイルミストは、オイルフィラーキャップの軸心を挟んだ一方の側から飛散するが、本願発明では、ガイド手段は、オイルフィラーキャップの軸心回りに捩じられたような形態になっているため、オイルミストは、上向きに方向変換しつつ、オイルフィラーキャップの軸心回りの方向にも方向変換する。
【００１５】
この場合、オイルミストの群がオイルフィラーキャップの軸心回りの方向に方向変換するため、いわば、オイルミストの群が旋回流となるのと同様の現象が生じて、オイルミストがオイルフィラーキャップの下面にまんべんなく付着する。従って、オイルフィラーキャップの下面全体にオイルミストシャワーをかけるような状態になって、オイルミストを速やかに油滴化できる。その結果、オイルフィラーキャップの下面にクリーム状の油水混合物。発生することを、しっかりと阻止できる。
【００１６】
オイルミスト群が飛散すると、空気が一緒に引かれるため空気流が生成され得るが、本願発明では、オイルミストの群がオイルフィラーキャップの軸心回りに向かうように方向変換することにより、オイルフィラーキャップの軸心回りの旋回流を生成することも可能になる。
【００１７】
また、回転体の回転によって遠心方向に向かう（或いは接線方向に向かう）空気流が生成されるが、ガイド手段は、直進性を有する空気流をオイルフィラーキャップの軸心回りに旋回させる機能も有しており、ヘッドカバーの内部に浮遊しているオイルミストがこの旋回流に乗ることにより、オイルミストの旋回流を生成させることができる。これら旋回流の働きによっても、オイルミストをオイルフィラーキャップの下面全体に積極的に付着させる機能を確実化して、クリーム状の油水混合物の発生防止を確実化できる。
【００１８】
また、ガイド手段はヘッドカバー本体やバッフルプレートなどに一体化できるため、特許文献１と同様に、構造の複雑化を防止することもできる。
【図面の簡単な説明】
【００１９】
【図１】実施形態の底面図である。
【図２】実施形態の平断面図で、図３のII-II 視断面図である。
【図３】図２のIII-III 視断面図である。
【図４】（Ａ）は図２及び図３の IVA-IVA視断面図、（Ｂ）は別例を示す図である。
【発明を実施するための形態】
【００２０】
次に、本願発明の実施形態を図面に基づいて説明する。以下の説明で、方向を示す「前」の文言を使用するが、内燃機関の一般的な呼び方に倣ったもので、クランク軸線方向でかつタイミングチェーンや補機が配置されている側を前としている。
【００２１】
(1).概要
内燃機関の基本構成は従来と同様であり、図３及び図４（Ａ）に示すように、シリンダヘッド１とその上面に固定されたヘッドカバー装置２とを備えている。ヘッドカバー装置２は、外観を構成するヘッドカバー本体３と、ヘッドカバー本体３の内部に装着したバッフルプレート４とを備えており、ヘッドカバー本体３には、上下に開口したオイル注入口５が形成されており、オイル注入口５は、オイルフィラーキャップ６で上から塞がれる。
【００２２】
バッフルプレート４は広い範囲に亙ってヘッドカバー本体３に装着されており、図面には表れていないが、ヘッドカバー本体３とバッフルプレート４との間には、ブローバイガスからオイル分を捕集するためのブローバイガス通路と、新気（吸気）を動弁室に取り込むための新気通路とが形成されている。
【００２３】
図１はヘッドカバー装置の底面図であり、シリンダヘッド１の前部と吸気弁用カム軸７及び排気弁用カム軸８を表示している。両カム軸７，８はシリンダヘッド１の手前に露出しており、この露出部に、タイミングチェーン（図示せず）が巻き掛けされたチェーンスプロケット９，１０をそれぞれ固定している。更に、吸気弁用カム軸７の露出部には、チェーンスプロケット９の外側に位置したＶＶＴ（可変バルブタイミング装置）１１を設けており、ＶＶＴ１１は吸気弁用カム軸７と一緒に回転する。本実施形態では、ＶＶＴ１１が回転体の例になっている。
【００２４】
オイル注入口５は、その半分程度がヘッドカバー本体３の前端面から手前にはみ出ている。従って、オイルフィラーキャップ６の軸心は、ヘッドカバー本体３の前端の近傍に位置している。オイルフィラーキャップ６は、フランジ６ａと摘み６ｂと嵌入部６ｃとを有しており、嵌入部６ｃに、下向きに縮径したテーパ部６ｄが一体に形成されている。
また。
【００２５】
図４（Ａ）に部分的に示すように、シリンダヘッド１（及びシリンだブロック）の前面には、タイミングチェーンやチェーンスプロケット９を囲うフロントカバー１２が固定されており、オイル注入口５から流し込んだオイルは、フロントカバー１２とシリンダヘッド１及びシリンダブロックとで囲われた空間に流下して、オイルパンに至る。
【００２６】
そして、図１〜３のとおり、オイル注入口５は、底面視及び平面視では、吸気弁用カム軸７と排気弁用カム軸８との延長線の間の部位のうち、排気弁用カム軸８の延長線に寄った部位に配置されているが、タイミングチェーンは、吸気弁用チェーンスプロケット９を経由して排気弁用チェーンスプロケット１０に向かうように周回するため、ＶＶＴ１１の外周面や外端面に付着したオイルが、遠心力により、オイル注入口５の下方部に向けて飛散する。
【００２７】
(2).ガイド手段
そこで、請求項に記載したガイド手段の一例として、バッフルプレート４の端部に、ＶＶＴ１１によって振り飛ばされたオイルミストをオイル注入口５に向かうように方向変換させるガイド板（ガイドリブ）１３を一体に設けている。
【００２８】
このガイド板１３は、図２に示すように、平面視ではＶＶＴ１１の軸心から遠ざかる方向に長く延びた略帯状であって、図３に示すように、正面視ではＶＶＴ１１の軸心から遠ざかるに従って高さが高くなるように傾斜（湾曲）しており、かつ、図２のとおり、平面視では、オイルフィラーキャップ６の軸心１４の回りに捩じられたような形態になっている。
【００２９】
平面視の形態を正確に述べると、上端面１３ａが、ＶＶＴ１１の軸心方向に向かってヘッドカバー本体３の外側に向かうほど、オイルフィラーキャップ６の軸心１４に近づくように捩じられている。もとより、上端面１３ａがＶＶＴ１１の軸心と同心の円弧状であってもよい。要は、オイルミストが当たるガイド面が、オイルフィラーキャップ６の軸心１４の側を向く方向に傾斜していたらよい。
【００３０】
ガイド板１３の下端１３ｂは、ＶＶＴ１１の回転軸心と平行になっているが、図４（Ａ）に示すように、上に行くに従って、オイルフィラーキャップ６の軸心１４の側に傾いており、ガイド板１３のガイド面は、全体として曲面の状態になっている。
【００３１】
従って、ＶＶＴ１１の回転によって飛散したオイルミストの群は、直進性を持ってガイド板１３に当たると、オイルフィラーキャップ６の軸心１４の回りのエリアに広く分散して向かうように方向変換される。つまり、個々のオイルミストをみると反射して直線方向に方向変換するが、オイルミストの群全体としてみると、オイルフィラーキャップ６の軸心１４の回りを旋回するような動きを呈している。従って、ＶＶＴ１１から飛散したオイルミストを、オイルフィラーキャップ６の下面全体にまんべんなく付着させて、オイルフィラーキャップ６の下面の全体において、オイルミストを油滴化して滴下させることができる。
【００３２】
また、図３及び図４（Ａ）に小ドットの群で示すように、ヘッドカバー装置２の内部のうち前部には、主としてタイミングチェーンの周回によって生じた微細なオイルミストが浮遊しているが、ＶＶＴ１１の回転及びタイミングチェーンの周回によって、ガイド板１３に向かう空気流が生じており、オイルミストがこの空気流に乗ってガイド板１３に誘導される。
【００３３】
すると、空気流はガイド板１３のガイド作用により、ＶＶＴ１１の軸心１４回りを旋回して旋回流となるため、オイルミストの群がオイルフィラーキャップ６の下面全体にまんべんなく付着して、付着したオイルミストは速やかに油滴と化して滴下する。このような空気流の誘導作用によっても、オイルフィラーキャップ６の下面全体に、オイルミストをまんべんなくかつ積極的に付着させることができる。
【００３４】
従って、オイルフィラーキャップ６に付着したオイルミストに水分が付着しても、クリーム状の油水混合物に成長するようなことはない（油水混合物に成長する前に、下方に滴下してしまう。）。よって、オイル交換等に際してオイルフィラーキャップ６を取り外したときに、人に不快感や不安を抱かせることはない。
【００３５】
図４（Ｂ）では、テーパ部６ｄを備えていないノーマルタイプのオイルフィラーキャップ６を表示しているが、この場合も、上記と同じ効果を奏する。
【００３６】
実施形態では、ガイド板１３のガイド面は曲面になっているが、１つの平坦面に形成することも可能である。或いは、多数の平坦面を複合させて曲面のように形成したり、平坦面と曲面とを組み合わせたりすることも可能である。また、ガイド板は、バッフルプレートとは別体に製造して、バッフルプレート又はヘッドカバー本体若しくはシリンダヘッドに取り付けてもよい。
【産業上の利用可能性】
【００３７】
本願発明は、内燃機関に具体化できる。従って、産業上利用できる。
【符号の説明】
【００３８】
１  シリンダヘッド
２  ヘッドカバー装置
３  ヘッドカバー本体
４  ヘッドカバー装置の一部を構成するバッフルプレート
５  オイル注入口
６  オイルフィラーキャップ
７，８  カム軸
９，１０  チェーンスプロケット
１１  回転体の一例としてＶＶＴ
１３  ガイド手段の一例としてのガイド板
【図１】
2019100257.tif 000003
【図２】
2019100257.tif 000004
【図３】
2019100257.tif 000005
【図４】
2019100257.tif 000006